(57)【特許請求の範囲】
【請求項１】
握り棒とアーム部材と回収箱と根切刃で構成され、前記回収箱は、回収刃と網状部と前記回収刃方向を除く前記網状部を囲む三方の外周を囲む箱外壁で構成され、前記根切刃と前記回収刃は平行で垂直方向に一定隙間L1を有し、前記根切刃は前記回収刃より水平方向の前方に一定寸法L2突出し、前記根切刃及び回収刃は前記握り棒の長手方向軸心と一定角度θ1開き、前記握り棒は前記根切刃の幅方向中央又は左右いずれか一方の側面付近上部に、前記アーム部材によって取り付けたことを特徴とする草取り鎌。
【請求項２】
前記請求項１に記載の草取り鎌において、
前記回収刃は、前記根切刃の幅方向両側面から上方に立ち上がる前記アーム部材の内側と前記箱外壁の外側間を溶着又は鋲で結合固定されていることを特徴とする草刈り鎌。
【請求項３】
前記請求項１又は2のいずれか１つに記載の草取り鎌において、
前記回収箱の底面は、前記回収刃と連続的に一体構成され、前記回収刃の後方から一定角度θ2で下方向に傾斜し、前記箱底面の外周を除く内面に開口部を設け、前記開口部を塞ぐ網部材を取付けて前記網状部を形成し、前記箱底面の前記回収刃方向を除く外周に、前記箱外壁を一定高さで囲む様にし、前記回収箱を形成したことを特徴とする草取り鎌。
【請求項４】
前記請求項１から３のいずれか１つに記載の草取り鎌において、
前記根切刃の先端は下面から上面に向けて傾斜するカットを行い、前記回収刃の先端は上面から下面に向けて傾斜するカットを行ったことを特徴とする草取り鎌。  
【発明の詳細な説明】
【技術分野】
【０００１】
この発明は、畑や庭の草取りを行う時、従来の草取り鎌は草の根を掘り起すのみで、その草は手で回収する必要が有り、その回収は面倒で、根に着いた土砂で手が汚れる欠点が有った。本案はその問題を解決する為工夫したもので、根切刃で草の根を掘り起すと同時に、回収刃でその草を回収し、回収箱に集めると同時に草の根に着いた土砂を網状部でふるい落とす、草取り鎌に関するものある。  
【背景技術】
【０００２】
下記文献に示す従来の「草取り鎌」は、草の根を掘り起すのみで、その草の回収は手で行うしかなかった。
【先行技術文献】
【特許文献】
【０００３】
【特許文献１】特開平１０−０００００９号公報
【発明の概要】
【０００４】
本発明は上記事情に鑑みてなされたもので、根切刃で草の根を掘り起すと同時に回収刃でその草を回収し、回収箱に落とし込み、回収箱の底面に設けた網状部で根に付着した土砂をふるい落として取り除く一連の操作を１本の草取り鎌で処理できるようにしたものである。
【発明が解決しようとする課題】
【０００５】
（１）草の根掘り起しと、草の回収を同時に行う構造の考案。
（２）回収した草を一定量確保するための回収箱装着の考案。
（３）回収した草の根に付着する土砂の除去方法の考案。
(４) 根切刃は必要以上に深く食い込まない刃の構造の考案。
【課題を解決するための手段】
【０００６】
（１）根切刃と回収刃を上下２段構造とし、握り棒を水平に持ち、引くと草の根の掘り起しと、同時に回収刃で草の根本をすくって回収する構造とした。
（２）回収した草は斜面に沿って落ち込む三角形の回収箱とし容積を確保した。
（３）草の根に着いた土砂は回収箱の底面を網目とし、草取り鎌の操作振動で土砂をふるい落とす構造とした。
（４）根切刃先端は上向きカットとし、回収刃は下向きカットにして、根切刃が必要以上に深くならないように設計した。
【発明の効果】
【０００７】
前記解決手段により、従来品に比べ、下記の点が大幅に改善される。
（１）草の根掘り起しと草の回収を同時に行い人手による草の回収を不要にした。
（２）回収した草は三角形の回収箱に入れ、確保容量を確保した。
（３）回収した草の根に付着する土砂をふるい落とす網目を設けて除去を行う。
（４）握り棒を略水平に引いても、根切刃先端は上向きにカットされているので掘り起し深さは適度な深さが維持できる。
【図面の簡単な説明】
【０００８】
【図１】本案の全体斜視図
【図２】本案の側面断面図(図1のA-O-O-B断面)
【図３】本案の作動原理説明図
【図４】本案の第二実施例
【発明を実施するための形態】
【０００９】
以下に、図１から図４を参照して本案の構造と作動を説明する。
図１は、本案の全体斜視図で、４根切刃の幅方向両端から立ち上がる２アーム部材の内側に３回収箱が点溶接で結合され、更に延長されたアーム部材に角度θ1で１握り棒が結合されている。詳細は図２(図1のA-O-O-B断面)を参照されたい。
前記２アーム部材の先端はクサビ状に形成され、１握り棒の左端に１dキャップを通して嵌合され、１cアーム部材加締め鋲で固定され、更に右端には草取り鎌を保管する時に使用する１b紐孔を設け、更に外周には複数の１a滑り止溝が加工されている。１握り棒の材質はプラスチック又は木材でも良い。
前記２アーム部材の他端は４根切刃に直結され、４根切刃の前方先端は下から上に向けて傾斜カットされ、前記５回収刃の前方先端は上から下に向けて傾斜カットされている。
尚、両刃の材質はステンレス鋼又は焼き入れ鋼を用いることが好ましい。
４根切刃と５回収刃の位置関係は図２の通り、両刃は水平方向に平行で、垂直方向にL1の隙間を設け、水平方向では５回収刃先端より４根切刃が寸法L2だけ前方に突出している。
前記回収箱は５回収刃先から左に長さL3延長された位置から８箱底面がθ２の角度で左下に向けて傾斜し、外周を除く内側に９開口部が設けられ、その開口部を塞ぐ形で１０網部材が下から接合され６網状部を形成している。この１０網部材を用いる代わりに９開口部を多数の長溝か孔をプレス加工で設けて網目の役を果たし、10網部材を不要にすることも出来き、それも６網状部の請求範囲と解釈する。
前記６網状部の外周で、５回収刃の幅方向を除く三方に７箱外壁が取り囲み上面位置は同一になっている。
次に図４に本案の第二実施例を説明する。図１の第一実施例との相違点は、１握り棒の取付け位置のみで機能的には変わりない。
第一実施例では１握り棒が右側の２アーム部材の直上に固定されているが、第二実施例は４根切刃の幅方向両端から立ち上がる２アーム部材を４根切刃の幅中央で合わせて１握り棒を取付けており、
使い勝手では、第一実施例は操作時に４根切刃に掛かる荷重で回転モーメントが発生し、１握り棒先端を右側に押しつけながら使用することになるが、第二実施例では１握り棒が中央にあり回転モーメントは打ち消され、使い易い。
但し、草の有る位置が１握り棒でブラインドに成る欠点は避けられない。    
【００１０】
以上の構造説明から、作動原理と取扱い方法の説明に移る。作動説明として、図３を参照願いたい。
１握り棒を略水平に持ち右側の前方に引くと４根切刃は地面下の掘削面を右に  進み、草の根の下を進行し土砂をL3だけ持ち上げることにより、固められた地面は左側のようなバラバラにこなれた土砂に成り、草の根本は地上面に浮き上がり、５回収刃が前記草の根本をすくい上げ、少ない土砂と共に３回収箱の中に送り込まれ、６網状部に来ると草の根に付着した土砂は網目から掘削土の上に落下する、特に１握り棒引く時に、掘削振動が発生し、土砂を網目からふるい落とすのに好都合である。
１握り棒の傾斜角度θ1は３０度〜５０度位が適切と考えます。
４根切刃と５回収刃の隙間は草の大きさと種類により異なりますがL1は１５〜３５mm位が適切と考えます。そして、４根切刃は５回収刃の前後差L2は１５〜４０mm位が適切と考えます。３回収箱の８箱底面の傾斜角度θ2≧θ1で、
θ2が大きいほど有利ですが、箱底面先端が掘削土上面に当たらない範囲です。
勿論回収箱の長さを小さくすれば、角度θ2は大きく出来ますが、回収箱の容積が少なくなることとのトレードオフとなります。
次に１握り棒の長さを含むハンドル全体の長さは長いほど回転モーメントによる影響が少なくなり使い易いですが、収納スペースに問題なければ２００〜３００mm位くらいが適切と考えます。
また、第一実施例と第二実施例の使い勝手は、ハンドル長さを小さくしたい時は断然第二実施例の方が有利です。コスト的には第一実施例の方が有利と考えられます。
【産業上の利用可能性】
【００１１】
庭や畑の雑草は、雨の多い時期には種の発芽早く取っても、取っても、すぐ生え    
てくる感じで困りものですが、それ以外の原因として、草の根から取らずに、土              
の上にある葉のみを切っている場合は、特に早く成長します。
そんな原因の対策には、本案の「草取り鎌」を使用し、草を根こそぎとって頂き    
たい、握り棒を引くだけで、手を使わずに草が根こそぎ回収できるのは快適です。
大量生産すれば、コスト適にも、大きな負担無く生産でき、一般家庭でも、農業  
生産者にも喜んで頂ける発明と自負しています。
【符号の説明】
【００１２】
１握り棒、１a滑り止溝、１b紐孔、１cアーム部材加締め鋲、１dキャップ、２アーム部材、３回収箱、４根切刃、５回収刃、６網状部、７箱外壁、８箱底面、９開口部、１０網部材、１１カット、L1両刃面の上下隙間、L2両刃先の水平方向位置差、θ1握り棒の傾き角度、θ2箱底面の傾斜角度、  θ2≧θ1角度の対比
【要約】      （修正有）【課題】畑や庭の草取りを行う時、従来の草取り鎌は草の根を掘り起すのみで、その草は手で回収する必要が有り、その回収は面倒であり、根に着いた土砂で手が汚れてしまったが、回収が容易で、手が汚れない草取り鎌を提供する。【解決手段】根切刃４で草の根を掘り起すと同時に、回収刃５でその草を回収し、回収箱３に集めると共に、草の根に着いた土砂を網状部でふるい落とす。【選択図】図１【図１】
0005115896.tif 000002
【図２】
0005115896.tif 000003
【図３】
0005115896.tif 000004
【図４】
0005115896.tif 000005